(57)【要約】【課題】  文字基板に指標リングを備える表示板において、指標リング時字部の立体感を強調し、位置ずれ不良の発生がなく、高級感と仕様の多様化を可能とし、且つ、コスト的に安くできる表示板を提供する。【解決手段】  文字基板１１の上面外周域に指標リング２１を備える表示板２０において、指標リング２１を透明樹脂または半透明樹脂で形成し、上面側に時字２３凸部または凹部、および対応する裏面側凹部２１ａを形成する。裏面側の全周にリング状溝部２７または時字間に溝部２８を配置することも可能。表面処理で前記箇所に金属感を強調した表現を施す。また、時字上面に文字、数字、マーク、模様の凹凸模様からなる指標部２３ｃを施し、時字２３以外の面へ凹凸模様２５でパターン模様を形成したことを有する。【選択図】      図１
2006214734.tif 000002
【特許請求の範囲】
【請求項１】
文字基板の上面外周域に指標リングを備える表示板構造において、前記指標リングは透明樹脂または半透明樹脂からなり、指標リング表面に形成された時字は凸部または凹部から成り、前記時字の裏面側は前記凸部または凹部に対応する位置に裏面側凹部を有し、前記時字の表面凸部、凹部、裏面側凹部の少なくとも１つに表面処理が施されたことを特徴とする指標リング付表示板。
【請求項２】
前記指標リングの裏面側に全周のリング状溝部を成し、前記リング状溝部の内面に鏡面または回折格子模様を施し、塗装または乾式メッキの少なくとも１つの表面処理が施されていることを特徴とする請求項１に記載の指標リング付表示板。
【請求項３】
前記指標リングの前記裏面側凹部間に複数の溝部を成し、前記溝部の内面に鏡面または回折格子模様を施し、塗装または乾式メッキの少なくとも１つの表面処理が施されていることを特徴とする請求項１に記載の指標リング付表示板。
【請求項４】
前記時字の凸部上面、凹部の底部または裏面側凹部の底部に、文字、数字、マーク、模様からなる指標部が少なくとも１つ施されていることを特徴とする請求項１に記載の指標リング付表示板。
【請求項５】
凸部の時字で裏面側凹部の深さは、指標リングの表面に対して上部または下部にそれぞれ位置していることを特徴とする請求項1に記載の指標リング付表示板。
【請求項６】
時字を除く指標リングは、その表面、または裏面の少なくとも1面に凹凸模様が施されたことを特徴とする請求項１に記載の指標リング付表示板。
【請求項７】
前記指標リングの裏面側凹部、リング状溝部または溝部の内面に形成した表面処理が、光沢の金属膜または金属感の有する塗膜で施されていることを特徴とする請求項１、請求項２または請求項３に記載の指標リング付表示板。
【請求項８】
前記指標リングの裏面側凹部、リング状溝部または溝部を除く下面に、白色、黒色、またはカラー色調の塗膜が施されていることを特徴とする、請求項１から請求項７のいずれか1つに記載の指標リング付表示板。
【発明の詳細な説明】
【技術分野】
【０００１】
本発明は文字基板の上面外周域に指標リングを備えた表示板で、時計用文字板、計器用文字板に関する。
【背景技術】
【０００２】
ここでは時計用文字板を例にとって説明する。図８および図９に示すように従来の時計用文字板のバリエーションの一つとして、時字３３などの指標が形成された指標リング４１と文字基板３１とを一体的に構成した時計用文字板３０を使用したものがある。この様な時計用文字板３０は、比較的高級な時計に用いられるものが多い。
【０００３】
図８は従来の指標リング付文字板の斜視図で、図９は図８の要部断面図を示したものである。この時計用文字板３０は、文字基板３１と、文字基板３１の上面外周域に配設される指標リング４１で構成されている。尚、図８は角型タイプの時計用文字板を示したものであるが、丸型タイプ、楕円型タイプなどの異形型タイプの構成も同じである。また、図１１は指標リング４１の断面形状の種類を表した一例で、一般的な形状の例をいくつか示す。
【０００４】
ここで、文字基板３１は、真鍮や洋白等の金属板が基板として使用され、その下面には時計用のムーブメントブロックに固定するためのエト足３２が２本、溶接などの方法で固定されている。中央部には指針を取付けるための中心孔３１ａが設けられている。メッキや塗装などの表面処理が施されおり、ブランド名３４などのマーク貼り付け、或いは印刷方法などで形成されている。
【０００５】
指標リング４１は、真鍮などの金属を加工して形成され、メッキや塗装などの表面処理を施した金属指標リングと、または射出成形金型に樹脂材を流し込むことで形成し、メッキや塗装などの表面処理を施したプラ指標リングの２通りの手法が通常作製手法として用いられている。本発明は後者のプラ指標リングに属する発明である。
【０００６】
従来のプラ指標リングを用いた例として、弊社出願の特開２００３−２４０８７３号公報記載の構造が開示されている。
【０００７】
【特許文献１】特開２００３−２４０８７３号公報
【０００８】
特許文献１に開示されたところの製造方法で形成した指標リング４１の概要を、図１０を用いて説明する。前記指標リング４１は透明樹脂からなり、上面側に斜面４１ｃを形成する一方、下面側には複数の凹部４１ａが斜面と平行で形成され、該凹部４１ａの内部は金型で鏡面に仕上げられ、射出成形方法で転写して形成される。前記凹部４１ａの内側に金属膜または金属感の有する表面処理４２で塗膜を形成し、指標リングそのものが厚みのある光沢のある金属感で見えることを特徴としている。
【発明の開示】
【発明が解決しようとする課題】
【０００９】
背景技術で述べた指標リング４１は斜面４１ｃが平面で構成されているため、前記表面側上面４1ｃの時字部または指標部の表現に変化が少なく、立体感に乏しい物となっていた。また、従来の加工方法では、斜面４１ｃに時字３３を取付けることは、加工方法が困難な上に、位置ずれ不良が発生し易いという問題が生じやすく、結果的にコストが嵩む問題があった。通常の装飾手法として印刷等で加飾されることが考えられるが、時字部の凹凸感には限度があり、立体的な表現には対応できなかった。立体感があり多仕様に対応できる高級感を備えた指標リング付表示板を求められていた。
【００１０】
本発明の目的は以上のような課題を解決しようとするもので、表示板の指標リングに立体感と高級感を与え、デザインバリエーションの拡大を図れる指標リングを成し、また、コストが安くできる加工方法で指標リング構造を形成し、一体となった表示板を提供することを目的としている。さらに本発明の他の目的は、外観の良好な表示板を備えた機器を提供することにある。
【課題を解決するための手段】
【００１１】
本発明は以上のような従来の課題を解決するため本願発明の目的を達成するために成されたもので、本発明の請求項１に記載に係る指標リング付表示板は、文字基板１１の上面外周域に指標リング２１を備える表示板において、前記指標リング２１は透明樹脂または半透明樹脂からなり、指標リング表面に形成された時字２３は時字凸部２３ａ、または時字凹部２３ｂから成り、裏面側は前記凸部２３ａ、または凹部２３ｂに対応する位置に裏面側凹部２１ａを有し、前記時字２３の時字凸部２３ａ、時字凹部２３ｂ、裏面側凹部２１ａの少なくとも１つに表面処理２２が施されたことを特徴とするものである。ここで言う表面処理とは乾式メッキ、湿式メッキ、塗装、印刷の手法を用いた仕様表現方法である。
【００１２】
次に、本発明の請求項２記載に係る指標リング付表示板は、指標リング２１の裏面側に全周のリング状溝部２７を成し、その内部は鏡面または回析格子模様を形成し、塗装または乾式メッキの少なくとも１つの表面処理２７ａが施されていることを特徴とするものである。図４Ａはリング状溝部を現した指標リングの斜視図で、図４Ｃはその断面図である。
【００１３】
次に、本発明の請求項３記載に係る指標リング付表示板は、指標リング２１の裏面側凹部２１ａ間に複数の溝部２８を成し、その内部は鏡面仕上げまたは回析格子模様を形成し、塗装または乾式メッキの少なくとも１つの表面処理２７ａが施されていることを特徴とするものである。図４Ｂは溝部を現した指標リングの斜視図である。
【００１４】
次に、本発明の請求項４記載に係る指標リング付表示板は、前記時字部２３の時字凸部２３ａの上面または時字凹部２３ｂの底部に、文字、数字、マーク、模様からなる指標部２３ｃが少なくとも１つ施されていることを特徴とするものである。図５の指標リング２１の前記時字２３に精度の良い射出成形金型を用いて、文字、数字、マーク、模様の指標部２３ｃを微細な凹凸模様を用いて施すことで、立体的な時字表現方法が可能となり、仕様の多様化に対応ができる。
【００１５】
次に、本発明の請求項５記載に係る指標リング付表示板は、指標リング２１の時字凸部２３ａで裏面側凹部２１ａの深さは、指標リングの表面位置２４に対して図６Ａの上部、または図６Ｂの下部にそれぞれ位置していることを特徴とするもので、位置の違いにより指標リングの時字２３の異なる表現が可能となる。
【００１６】
次に、本発明の請求項６記載に係る指標リング付表示板は、時字２３を除く箇所の指標リングの斜面２１ｃと裏面側下面２１ｄに、凹凸模様２５が少なくとも１面施されたことを特徴とするものである。前記凹凸模様２５の代表的な模様としては、幾何学模様、放射模様、波模様、砂地模様等がある。また斜面と裏面に異なる模様を施した場合の組合せは幾通りも考えられ、仕様の多様化が促進される。
【００１７】
次に、本発明の請求項７記載に係る指標リング付表示板は、指標リング２１の裏面側凹部２１ａに形成した表面処理２２またはリング状溝部２７、溝部２８に形成した表面処理２７ａが光沢を有する金属膜または、金属感をある塗膜で施されていることを特徴とするものである。光沢面は成形金型作製時に表面処理を施す面を鏡面仕上げ状態に形成し、射出成形で鏡面が製品に転写され、さらに表面処理で金属蒸着または、金属感の塗膜で形成し、光沢を有し金属感のある時字、リング状溝部または溝部が現れる。
【００１８】
次に、本発明の請求項８記載に係る指標リング付表示板は、指標リング２１の裏面側凹部２１ａ、リング状溝部２７または溝部２８を除く下面２１ｄに、白色、黒色またはカラー色調の塗膜２６が施されていることを特徴とするものである。下面に白色、黒色またはカラー色調の塗膜２６を施すと、前記裏面側凹部、リング状溝部または溝部の表面処理の金属感と塗膜２６の色調とのコントラストによって金属色が非常に引き立って見えてくる。
【発明の効果】
【００１９】
以上のように本発明に係る指標リング付表示板によれば、請求項１の効果は指標リング２１を透明樹脂または半透明樹脂で射出成形手法で形成し、金型からの転写によって指標リング表面に時字２３の凸部２３ａまたは凹部２３ｂを成し、前記時字２３に対応した裏面側の位置に裏面側凹部２１ａを形成し、さらに時字凸部２３ａ、凹部２３ｂ、裏面側凹部２１ａに表面処理２２を施すことで、時字２３は立体感や金属感がさらに強調されて現れる。
【００２０】
また、本発明の請求項２の効果は指標リング２１の裏面側にリング状溝部２７と表面処理２７ａを成すことで、指標リングの裏面側が平面仕上げに比べ、指標リング内にリング状の輪が立体的に強調され現れる。また、リング状溝部２７の内面に施した鏡面仕上げまたは回析格子模様仕上げの違いで次の様な効果がある。内面を鏡面仕上げすることで、金属調に施された表面処理２７ａと合わさりリング状溝部全体に金属調の光沢感が強調される。一方、内面に回析格子模様を施した場合、回析格子から得られる虹色の干渉色が美しい輝きを示し、高級感を得ることができる。
【００２１】
また、本発明の請求項３の効果は指標リング２１の裏面側に溝部２８とその内面に表面処理２７ａを成すことで、指標リングの裏面側が平面仕上げに比べ、指標リング内に溝部と溝部以外の箇所に濃淡差が生じ、濃淡による変化が強調され見える効果がある。また、内面に施した鏡面または回析格子模様の仕上げ効果は前記リング状溝部の仕上げ効果と同様の効果を得ることができる。
【００２２】
また、本発明の請求項４の効果は時字２３の時字凸部２３ａの上面または時字凹部２３ｂの底部に、文字、数字、マーク、模様からなる指標部２３ｃを少なくとも１つ微細な凹凸模様を用いて施すことで、立体的な時字表現方法が可能となり、仕様の多様化に対応ができる効果がある。
【００２３】
また、本発明の請求項５の効果は時字凸部２３ａまたは凹部２３ｂ、および裏面側凹部２１ａは金型から転写して形成したので、裏面側凹部２１ａの深さを変えて設定することができる。そのため、前記深さを調整することにより、裏面側凹部２１ａの深さを指標リング表面位置２４より上部にした場合、時字２３の立体感を大きく強調させ、また、裏面側凹部２１ａの深さを指標リング表面位置２４より下部にした場合は、時字凸部２３の下にさらに時字が二重に存在するように見えることを強調した効果がある。
【００２４】
また、本発明の請求項６の効果は時字２３を除く箇所の指標リング２１の斜面２１ｃ、裏面２１ｄに凹凸模様２５を少なくとも１つ施すことで、凹凸模様面２５は平面仕上げに比べ、時字凸部２３ａまたは凹部２３ｂの立体感を強調し、外観的にも綺麗に見え、且つデザイン的にも調和の取れた感覚を与える効果がある。
【００２５】
また、本発明の請求項７の効果は、裏面側凹部２１ａ、リング状溝部２７または溝部２８の内面に施された表面処理による金属膜が、成形金型から転写された鏡面仕上げ面と合わさり、光沢の有る貴金属感を得て、高級感を現す効果がある。
また、本発明の請求項８の効果は、指標リング２１の裏面側凹部２１ａ、リング状溝部２７または溝部２８を除く下面２１ｄに、白色、黒色またはカラー色調の塗膜２６を施すことで、例えば時字２３を成す裏面側凹部の表面処理２２の金属感と塗膜２６の色調とのコントラストによって金属色が非常に引き立って見える効果がある。時字部の表面処理金属色または色調に対して、下面に施すコントラストの良い色調を選定することが必要となる。
【００２６】
本発明のさらなる効果として、前記手法で作製した指標リングは製作工程が短く、且つ簡単な方法で製作するので加工コストが安く上がる。さらに、本発明の指標リング付表示板は２つの部品で構成されるので部品コストが安くなるなどの効果がある。
【発明を実施するための最良の形態】
【００２７】
【実施例】
【００２８】
実施例１として図1、図２、図３Ａ、図３Ｂ、図５に基づいて本発明の指標リングを備えた表示板である時計用文字板で実施の形態を説明する。図１は本発明に係る時計用文字板の要部断面図、図２は本発明に係る時計用文字板の指標リング付時計用文字板の正面図、図３Ａおよび図３Ｂは図２における指標リングＡ−Ａ断面拡大図を示すもので、図３Ａは時字２３の時字凸形状を、図３Ｂは時字凹形状をそれぞれ示している。図５は時字凸部２３ａの上面に施された指標部２３ｃの斜視図を示す。まず図１において、本実施形態に係る時計用文字板１０は、文字基板１１と指標リング２１とから構成され、文字基板１１の上面外周域に指標リング２１が固定された構造を取る。文字基板１１は従来技術で説明した文字基板３１と同一であるので詳細な説明は省略する。
【００２９】
本実施形態の指標リング２１の斜面２１ｃは内径側に向って薄くなるような傾斜を持った斜面になっている。内側に向って傾斜が付いていると文字板全体が見やすく、しかも角々しさが少なくなってソフトな感じを与える。この指標リングには時刻を示す時字２３が必要箇所に複数設けられている。
【００３０】
指標リング２１は透明樹脂または半透明樹脂からなり、成形金型を用いた射出成形方法によって成形される。また、指標リング２１の斜面２１ｃに設けられる時字凸部２３ａまたは時字凹部２３ｂの形状、および前記時字に対応する位置にある裏面側凹部２１ａの形状は成形金型から転写することで形成される。従って時字２３の形状は金型からの転写によって形成することができるので、非常に精度の高い寸法・形状が得られる。
【００３１】
次に、前記方法で形成された指標リング２１の裏面側凹部２１ａの表面処理２２を施す方法を示す。表面処理方法として乾式メッキ、湿式メッキ、塗装、印刷などがあるが、本実施形態では金や銀などの貴金属を使った金属蒸着膜によって形成している。貴金属材料で金属膜を形成すると、金属膜が直接目に触れることになり、貴金属の高級感の現れた時字として現れる。尚、本実施の形態での表面処理２２は金属蒸着膜で形成しているが、金属感の得られる塗料膜であっても同じような効果が得られる。例えば、メタリック塗装を裏面側凹部２１ａの内面に施すと金属感の現れた時字が得られる。
【００３２】
また同時に、前記時字２３の金属感は、成形金型の裏面側凹部２１ａの内面に鏡面仕上げ加工を施しておくことで、鏡面状態が射出成形で製品に転写され、上記表面処理から成る金属感と合わせ、光沢の有る貴金属感が得られる。
【００３３】
指標リング２１は、裏面側凹部２１ａ、リング状溝部２７または溝部２８を除く裏面側下面２１ｄに白色または黒色の塗膜２６を形成している。この塗膜は時字２３を形成する表面処理２２、リング状溝部または溝部の表面処理２７ａの金属感との色調コントラストを高めて時字部、リング溝部または溝部が目立つようにする為に設けられるものである。例えば前記時字部、リング状溝部または溝部の金属膜を銀色で形成した場合、塗膜２６は黒色を選択すると時字は非常に目立って見える。また、金属膜を金色で形成した場合は塗膜２６に白色を選択すると時字部は目立って見える効果がある。この塗膜２６は白色、黒色に限定するものではなく、各種のカラー色であっても選択できる。表面処理を施した金属色に対して、下面に施す白色、黒色、またはカラー色調のコントラストの良い色調を選定することで時字部、リング状溝部または溝部が目立って見える。
【００３４】
次に、図５は指標リング２１の時字凸部２３ａの上面に施された指標部２３ｃを示す。これはデザインおよび設計段階で選択された書体を微細加工により金型に施し、射出成形方法で転写することで形成される。数字以外に文字、マーク、模様の書体も転写することが可能で、また時字凸部２３ａの上面に限定されることではなく、時字凹部２３ｂの底部や裏面側凹部の底部２１ｂへも装飾が可能となる。前記装飾箇所により指標部２３ｃの表現が異なった視覚効果が得られることができる。特に裏面側凹部の底部２１ｂに微細ピッチ（幅５０〜１５０ミクロン）でＶ溝形状を並列模様で施した面は、上面からの光がＶ溝模様で反射し、上面側の指標部２３ｃが浮き立って見える表現が得られる。
【００３５】
次に実施例２として、図４Ａ、図４Ｂ、図４Ｃに基づいて本発明の請求項２と請求項３の実施の形態を説明する。請求項２では指標リング２１の裏面側の全周にリング状溝部２７を形成し、前記リング状溝部２７の内面は鏡面仕上げまたは回析格子模様を施した成形金型を作製し、射出成形方法によって転写され成形される。さらに内面には表面処理２７ａを施し、指定された仕様表現を施す。ここで言う表面処理２７ａとは、前記実施例１の説明で述べた裏面側凹部２１ａへの表面処理２２の手法と同様であるので詳細な説明は省略する。図４Ａは指標リング２１にリング状溝部２７の配置を現した斜視図である。請求項３は指標リング２１の裏面側凹部間に複数の溝部２８を形成したことを特徴としている。図４Ｂは指標リング２１に溝部２８の配置を現した斜視図である。前記溝部への表面処理２７ａおよび内面への鏡面仕上げ手法または回析格子模様仕上げは前記リング状溝部２７で説明した内容と同様である。
【００３６】
前記回析格子模様は格子幅が１μｍ以上７μｍ以下でピッチが１μｍ以上７μｍ以下の範囲で組み合わせで模様をリング状溝部２７または溝部２８の内面に形成させる。成形金型は回析格子模様を金型の母型に設け、電鋳転写手法で模様を形成する。射出成形手法による転写で回析格子模様は成形され、虹色の干渉色で輝く仕様が指標リング内に現れる。さらに内面に施す表面処理２７ａに、貴金属を使った金属蒸着膜を施すと、回析格子による干渉色と合わさり美しい輝きの仕様表現が可能となる。
【００３７】
次に実施例３として、図６Ａ、図６Ｂに基づいて本発明の請求項４の実施の形態を説明する。これは指標リング２１の裏面側凹部２１ａの深さの調整を特徴とし、前記実施例１の構成に基づいた構造となっている。裏面側凹部２１ａと表面側時字凸部２３の高さおよび形状を成形金型に設定し、射出成形で精度良く転写され形成される。時字凸部２３ａまたは時字凹部２３ｂと裏面側凹部２１ａの深さの両者間の樹脂の厚みは０．1５ｍｍを限度として設定される。裏面側凹部２１ａには仕様により表面処理２２が施される。深さ位置の違いにより次の効果がある。図６Ａで示す時字凹部２1ａは指標リングの表面位置２４に対して上部に位置して設けられた時は、時字凸部２３ａと裏面側凹部２１ａが接近して見え、指標リング内部から時字２３が立体的に柱状に強調されて現れる効果を得る。また、図６Ｂで示す表面位置２４に対して裏面側凹部２１ａが下部に位置する時は、裏面側凹部２１ａに表面処理２２を加えることで、表面時字凸部２３ａの下に、離れて時字部が二重に見える視覚効果を得ることができる。
【００３８】
次に実施例４として、前記実施例1から３の構成に基づいた図７で本発明の請求項５の実施形態を説明する。時字２３を除く箇所の指標リング２１の斜面２１ｃ、裏面側下面２１ｄの少なくとも１面に凹凸模様２５を形成されたことを示す。凹凸模様２５は成形金型に前記箇所に配置することで、射出成形で精度良く転写され形成される。前記凹凸模様２５の代表的な模様としては、幾何学模様、放射模様、波模様、砂地模様等がある。また、凹凸模様２５は表面側２１ｃと裏面側２１ｄに異なる模様を施すことは可能であり、上下に配置する模様の組合せは幾通りも考えられる。双方の凹凸模様２５の組み合わせと金属感を有する前記表面処理２２，２７ａが相乗して、多彩な視覚効果を与えることができる。
【００３９】
前記実施例１における指標リング２１は、図１、図２に示すような外形形状をしているが、これは一般的な形状を示すもので、丸型タイプに限定されるものでは無く、角型タイプ、異形型タイプの形状にも適用できるものである。また、前記実施例１から４の図示で説明する指標リング断面形状も一般的な形状を示すもので、図１１で示すように断面形状は斜面型（Ａ）に限定されることはなく、（Ｂ）から（Ｅ）までの代表的な形状で形成しても可能である。
【図面の簡単な説明】
【００４０】
【図１】本発明に係る時計用文字板の要部断面図である。
【図２】本発明に係る時計用文字板の正面図である。
【図３Ａ】図２における指標リングの断面図（時字凸部仕様）である。
【図３Ｂ】図２における指標リングの断面図（時字凹部仕様）である。
【図４Ａ】指標リングのリング状溝部を現す斜視図である。
【図４Ｂ】指標リングの溝部を現す斜視図である。
【図４Ｃ】図４Ａにおけるリング状溝部の断面図である。
【図５】指標リング表面の指標部模様（数字１２表示）斜視図である。
【図６Ａ】時字部断面図（裏面凹部位置：上部）である。
【図６Ｂ】時字部断面図（裏面凹部位置：下部）である。
【図７】指標リング面の凹凸模様配置図である。
【図８】従来の時計用文字板の斜視図である。
【図９】図８における時計用文字板の要部断面図である。
【図１０】特許文献１の時計用文字板の要部断面図である。
【図１１】指標リングの断面形状の一例を示したもので、（Ａ）斜面型、（Ｂ）段付型、（Ｃ）斜面＋段付、（Ｄ）Ｒ形状型、（Ｅ）逆Ｒ形状型を示した図である。
【符号の説明】
【００４１】
１０‥‥‥‥‥‥‥本発明の時計用文字板
１１、３１‥‥‥‥文字基板
２１、４１‥‥‥‥指標リング
２１ａ、４１ａ‥‥裏面側凹部
２１ｂ‥‥‥‥‥‥裏面側凹部の底部
２１ｃ、４１ｃ‥‥斜面（表面側上面）
２１ｄ‥‥‥‥‥‥裏面側下面
２２、４２‥‥‥‥表面処理
２３、３３‥‥‥‥時字
２３ａ‥‥‥‥‥‥時字凸部
２３ｂ‥‥‥‥‥‥時字凹部
２３ｃ‥‥‥‥‥‥指標部
２４‥‥‥‥‥‥‥指標リング表面位置
２５‥‥‥‥‥‥‥凹凸模様
２６‥‥‥‥‥‥‥塗膜
２７‥‥‥‥‥‥‥リング状溝部
２７ａ‥‥‥‥‥‥表面処理
２８‥‥‥‥‥‥‥溝部
３０‥‥‥‥‥‥‥従来例の時計用文字板
【図１】
2006214734.tif 000003
【図２】
2006214734.tif 000004
【図３Ａ】
2006214734.tif 000005
【図３Ｂ】
2006214734.tif 000006
【図４Ａ】
2006214734.tif 000007
【図４Ｂ】
2006214734.tif 000008
【図４Ｃ】
2006214734.tif 000009
【図５】
2006214734.tif 000010
【図６Ａ】
2006214734.tif 000011
【図６Ｂ】
2006214734.tif 000012
【図７】
2006214734.tif 000013
【図８】
2006214734.tif 000014
【図９】
2006214734.tif 000015
【図１０】
2006214734.tif 000016
【図１１】
2006214734.tif 000017